【手続補正書】
【提出日】平成19年10月12日(2007.10.12)
【手続補正１】
【補正対象書類名】特許請求の範囲
【補正対象項目名】全文
【補正方法】変更
【補正の内容】
【特許請求の範囲】
【請求項１】
ＥＬ素子を有する画素がマトリックス状に配置された表示画面を有するＥＬ表示装置の駆動方法であって、
前記ＥＬ表示装置の前記画素に印加する信号を発生させる画像データを用いて点灯率を求め、
前記点灯率に対応させて、前記表示画面に表示する帯状の非表示領域の幅を可変し、前記非表示領域を、前記表示画面の所定方向に、フレーム周期に同期させて移動させることを特徴とするＥＬ表示装置の駆動方法。
【請求項２】
ＥＬ素子を有する画素がマトリックス状に配置された表示画面と、前記表示画面の画素行を選択するゲートドライバ回路とを有するＥＬ表示装置の駆動方法であって、
前記ＥＬ表示装置の前記画素に印加する信号を発生させる画像データを用いて点灯率を求め、
前記点灯率に対応させて、前記ゲートドライバ回路に入力するスタートパルスを制御し、前記表示画面に帯状の非表示領域を表示させることを特徴とするＥＬ表示装置の駆動方法。
【請求項３】
ＥＬ素子を有する画素がマトリックス状に配置された表示画面を有するＥＬ表示装置の駆動方法であって、
前記画素には、前記ＥＬ素子に電流を供給する駆動用トランジスタと、前記電流が流れる経路にスイッチ用トランジスタが形成され、
前記ＥＬ表示装置の前記画素に印加する信号を発生させる画像データから、点灯率を求め、
前記点灯率に対応させて、前記表示画面に表示する帯状の非表示領域の幅を可変し、
前記点灯率に対応させて、前記表示画面に表示する表示画像のガンマ係数を変化させることを特徴とするＥＬ表示装置の駆動方法。
【請求項４】
前記表示画面に帯状の非表示領域および表示領域を発生させ、非表示領域と表示領域との割合を変化させることにより、前記表示画面の明るさを変化または制御することを特徴とする請求項１〜３のいずれかに記載のＥＬ表示装置の駆動方法。
【請求項５】
前記表示画面に帯状の非表示領域および表示領域を発生させ、
前記表示画面の非表示領域と表示領域の第１の割合から、前記表示画面の非表示領域と表示領域の第２の割合に変化させる時に、時間遅延を有することを特徴とする請求項１〜３のいずれかに記載のＥＬ表示装置の駆動方法。
【請求項６】
前記表示画面の非表示領域／（前記表示画面の非表示領域＋前記表示画面の表示領域）は、１／１６以上１／１以下であることを特徴とする請求項１〜３のいずれかに記載のＥＬ表示装置の駆動方法。
【請求項７】
ＥＬ素子を有する画素がマトリックス状に配置された表示画面を有するＥＬ表示装置であって、
前記ＥＬ素子を画素行単位でオンオフさせる電圧を伝達するゲート信号線と、
前記ゲート信号線を駆動するゲートドライバ回路と、
前記ＥＬ表示装置の前記画素に印加する信号を発生させる画像データから点灯率を求め、前記点灯率から前記ゲートドライバ回路のスタートパルスを発生する演算回路とを具備し、
前記画素には、前記ＥＬ素子に電流を供給する駆動用トランジスタが形成され、
前記ゲートドライバ回路は、前記スタートパルスに対応させて、前記ゲート信号線にオンオフ電圧を印加し、前記駆動用トランジスタから前記ＥＬ素子に供給する電流を遮断して、前記表示画面に帯状の非表示領域を発生させることを特徴とするＥＬ表示装置。
【請求項８】
ＥＬ素子を有する画素がマトリックス状に配置された表示画面を有するＥＬ表示装置であって、
前記ゲート信号線を駆動するゲートドライバ回路と、
前記ＥＬ表示装置の前記画素に印加する信号を発生させる画像データから点灯率を求める演算回路とを具備し、
前記画素には、前記ＥＬ素子に電流を供給する駆動用トランジスタと、前記電流が流れる経路にスイッチ用トランジスタが形成され、
前記点灯率に対応させて、前記スイッチ用トランジスタをオンオフさせ、前記表示画面に帯状の非表示領域を発生させることを特徴とするＥＬ表示装置。
【請求項９】
前記駆動用トランジスタは、Ｐチャンネルトランジスタであることを特徴とする請求項７または請求項８記載のＥＬ表示装置。
【請求項１０】
帯状の非表示領域は、複数に分割されて表示画面に表示されることを特徴とする請求項７または請求項８記載のＥＬ表示装置。
【手続補正２】
【補正対象書類名】明細書
【補正対象項目名】発明の名称
【補正方法】変更
【補正の内容】
【発明の名称】ＥＬ表示装置およびＥＬ表示装置の駆動方法
【手続補正３】
【補正対象書類名】明細書
【補正対象項目名】００１４
【補正方法】変更
【補正の内容】
【００１４】
表示ムラは、画素を電流プログラム方式の構成を採用することにより低減することが可能である。電流プログラムを実施するためには、電流駆動方式のドライバ回路が必要である。しかし、電流駆動方式のドライバ回路にも電流出力段を構成するトランジスタ素子にバラツキが発生する。そのため、各出力端子からの階調出力電流にバラツキが発生し、良好な画像表示ができないという課題があった。
本発明は、上記従来の課題を考慮し、良好な画像表示が可能なＥＬ表示装置及びＥＬ表示装置の駆動方法を提供することを目的とする。
【手続補正４】
【補正対象書類名】明細書
【補正対象項目名】００１５
【補正方法】変更
【補正の内容】
【００１５】
この目的を達成するために、第１の本発明は、
ＥＬ素子を有する画素がマトリックス状に配置された表示画面を有するＥＬ表示装置の駆動方法であって、
前記ＥＬ表示装置の前記画素に印加する信号を発生させる画像データを用いて点灯率を求め、
前記点灯率に対応させて、前記表示画面に表示する帯状の非表示領域の幅を可変し、前記非表示領域を、前記表示画面の所定方向に、フレーム周期に同期させて移動させることを特徴とするＥＬ表示装置の駆動方法である。
又、第２の本発明は、
ＥＬ素子を有する画素がマトリックス状に配置された表示画面と、前記表示画面の画素行を選択するゲートドライバ回路とを有するＥＬ表示装置の駆動方法であって、
前記ＥＬ表示装置の前記画素に印加する信号を発生させる画像データを用いて点灯率を求め、
前記点灯率に対応させて、前記ゲートドライバ回路に入力するスタートパルスを制御し、前記表示画面に帯状の非表示領域を表示させることを特徴とするＥＬ表示装置の駆動方法である。
又、第３の本発明は、
ＥＬ素子を有する画素がマトリックス状に配置された表示画面を有するＥＬ表示装置の駆動方法であって、
前記画素には、前記ＥＬ素子に電流を供給する駆動用トランジスタと、前記電流が流れる経路にスイッチ用トランジスタが形成され、
前記ＥＬ表示装置の前記画素に印加する信号を発生させる画像データから、点灯率を求め、
前記点灯率に対応させて、前記表示画面に表示する帯状の非表示領域の幅を可変し、
前記点灯率に対応させて、前記表示画面に表示する表示画像のガンマ係数を変化させることを特徴とするＥＬ表示装置の駆動方法である。
又、第４の本発明は、
前記表示画面に帯状の非表示領域および表示領域を発生させ、非表示領域と表示領域との割合を変化させることにより、前記表示画面の明るさを変化または制御することを特徴とする第１〜３のいずれかの本発明のＥＬ表示装置の駆動方法である。
又、第５の本発明は、
前記表示画面に帯状の非表示領域および表示領域を発生させ、
前記表示画面の非表示領域と表示領域の第１の割合から、前記表示画面の非表示領域と表示領域の第２の割合に変化させる時に、時間遅延を有することを特徴とする第１〜３のいずれかの本発明のＥＬ表示装置の駆動方法である。
又、第６の本発明は、
前記表示画面の非表示領域／（前記表示画面の非表示領域＋前記表示画面の表示領域）は、１／１６以上１／１以下であることを特徴とする第１〜３のいずれかの本発明のＥＬ表示装置の駆動方法である。
又、第７の本発明は、
ＥＬ素子を有する画素がマトリックス状に配置された表示画面を有するＥＬ表示装置であって、
前記ＥＬ素子を画素行単位でオンオフさせる電圧を伝達するゲート信号線と、
前記ゲート信号線を駆動するゲートドライバ回路と、
前記ＥＬ表示装置の前記画素に印加する信号を発生させる画像データから点灯率を求め、前記点灯率から前記ゲートドライバ回路のスタートパルスを発生する演算回路とを具備し、
前記画素には、前記ＥＬ素子に電流を供給する駆動用トランジスタが形成され、
前記ゲートドライバ回路は、前記スタートパルスに対応させて、前記ゲート信号線にオンオフ電圧を印加し、前記駆動用トランジスタから前記ＥＬ素子に供給する電流を遮断して、前記表示画面に帯状の非表示領域を発生させることを特徴とするＥＬ表示装置である。
又、第８の本発明は、
ＥＬ素子を有する画素がマトリックス状に配置された表示画面を有するＥＬ表示装置であって、
前記ゲート信号線を駆動するゲートドライバ回路と、
前記ＥＬ表示装置の前記画素に印加する信号を発生させる画像データから点灯率を求める演算回路とを具備し、
前記画素には、前記ＥＬ素子に電流を供給する駆動用トランジスタと、前記電流が流れる経路にスイッチ用トランジスタが形成され、
前記点灯率に対応させて、前記スイッチ用トランジスタをオンオフさせ、前記表示画面に帯状の非表示領域を発生させることを特徴とするＥＬ表示装置である。
又、第９の本発明は、
前記駆動用トランジスタは、Ｐチャンネルトランジスタであることを特徴とする第７または８の本発明のＥＬ表示装置である。
又、第１０の本発明は、
帯状の非表示領域は、複数に分割されて表示画面に表示されることを特徴とする第７または８の本発明のＥＬ表示装置である。
【手続補正５】
【補正対象書類名】明細書
【補正対象項目名】００１６
【補正方法】変更
【補正の内容】
【００１６】
本発明によれば、良好な画像表示が可能なＥＬ表示装置及びＥＬ表示装置の駆動方法を提供することが出来る。
【手続補正６】
【補正対象書類名】明細書
【補正対象項目名】００１７
【補正方法】削除
【補正の内容】
【手続補正７】
【補正対象書類名】明細書
【補正対象項目名】００１８
【補正方法】削除
【補正の内容】
【手続補正８】
【補正対象書類名】明細書
【補正対象項目名】１６０８
【補正方法】変更
【補正の内容】
【１６０８】
また、本発明は、液晶表示装置のバックライトにも有機ＥＬ表示装置は有効である。ＥＬ表示装置（バックライト）のＲＧＢの画素をストライプ状あるいはドットマトリックス状に形成し、これらに流す電流を調整することにより色温度を変更でき、また、明るさの調整も容易である。その上、面光源であるから、画面の中央部を明るく、周辺部を暗くするガウス分布を容易に構成できる。また、Ｒ、Ｇ、Ｂ光を交互に走査する、フィールドシーケンシャル方式の液晶表示パネルのバックライトとしても有効である。もちろん、画素１６などを形成せず、白色あるいは単色のバックライトもしくはフロンとライトとして本発明の技術的思想を用いてもよいことは言うまでもない。また、アクティブマトリックス表示パネルだけでなく、単純マトリックス表示パネルに本発明の技術的思想を用いてもよい。また、バックライトを点滅しても黒挿入することにより動画表示用などの液晶表示パネルのバックライトとしても用いることができる。また、本発明の装置あるいは方法により、白色発光を実現し、液晶表示装置などのバックライトとしても用いることができる。
又、本発明のＥＬ表示パネル（ＥＬ表示装置）のドライバ回路は、主として単位電流を出力する複数のトランジスタを具備し、このトランジスタの個数を変化させることにより出力電流を出力するものである。また、ｄｕｔｙ比制御、基準電流を操作あるいは制御することにより、画素１６に流れる電流を制御（調整）する。
本発明のソースドライバ回路は、基準電流源を有し、また、ゲートドライバ回路を制御することにより、電流制御、輝度制御を実現する。また、画素は、複数あるいは単独の駆動用トランジスタを有し、ＥＬ素子に流れる電流バラツキが発生しないように駆動する。したがって、しきい値のずれによる出力電流のばらつきが小さく、ＥＬ表示パネルの表示むらの発生を抑制することが可能となる。また、ダイナミックレンジが広い画像表示を実現でき、実用的効果は大きい。
また、本発明の表示パネル、表示装置等は、高画質、良好な動画表示性能、低消費電力、低コスト化、高輝度化等のそれぞれの構成に応じて特徴ある効果を発揮する。
なお、本発明を用いれば、低消費電力の情報表示装置などを構成できるので、電力を消費しない。また、小型軽量化できるので、資源を消費しない。したがって、地球環境、宇宙環境に優しいことになる。
【手続補正９】
【補正対象書類名】明細書
【補正対象項目名】１６０９
【補正方法】削除
【補正の内容】
【手続補正１０】
【補正対象書類名】明細書
【補正対象項目名】１６１０
【補正方法】削除
【補正の内容】
【手続補正１１】
【補正対象書類名】明細書
【補正対象項目名】１６１１
【補正方法】削除
【補正の内容】
【手続補正１２】
【補正対象書類名】明細書
【補正対象項目名】１６１２
【補正方法】変更
【補正の内容】
【１６１２】
本発明のＥＬ表示装置およびＥＬ表示装置の駆動方法は良好な画像表示が可能な効果を有し、有機または無機エレクトロルミネッセンス（ＥＬ）素子などを用いたＥＬ表示パネル（表示装置）などの自発光表示パネル、又はこれらの表示パネルなどの駆動回路（ＩＣ）、又はＥＬ表示パネル（表示装置）などの駆動方法と駆動回路およびそれらを用いた情報表示装置等として有用である。